(57)【特許請求の範囲】
【請求項１】
パネル本体の周縁から周縁枠を内向きに突設し、周縁枠の上下各縁枠の両端部にピン挿通用の貫通孔を設けてなる枠組足場用の防音パネルを、楔緊締式足場の外周に取り付けるようにした足場用防音パネルの取付装置であって、
足場用支柱の側方で上下方向に延びるように配置される取付腕と、取付腕の一側部所要位置に突設されたパイプクランプと、水平部及び垂直部によりＬ字状に形成されて、その水平部側が、前記取付腕の他側部で前記パイプクランプに対し上方又は下方へ離れた位置に突設されたＬ字状取付ピンとによって構成され、
防音パネルの取付けにあたって、Ｌ字状取付ピンの垂直部を防音パネルの貫通孔に挿通して防音パネルを保持し得る位置で、パイプクランプを足場用支柱上の障害物を避けた取付可能位置に掴持固定するようにし、
Ｌ字状取付ピンは、前記取付腕の他側部で前記パイプクランプに対し上下両方へ離れた取付腕の上下両端部側に夫々突設してなる足場用防音パネルの取付装置。
【請求項２】
取付腕の他側部に固着された上端部側のＬ字状取付ピンはその垂直部が上向きに突出し、下端部側のＬ字状取付ピンはその垂直部が下向きに突出している請求項１に記載の足場用防音パネルの取付装置。
【請求項３】
取付腕の腕本体は溝形に形成され、その溝形内に足場用支柱のフランジ又はポケットが納まるように形成されて、前記パイプクランプを足場用支柱に固定した状態で足場用支柱のフランジ又はポケットに干渉されないようにそれを避けた形状に形成されてなる請求項１又は２に記載の足場用防音パネルの取付装置。
【請求項４】
パネル本体の周縁から周縁枠を内向きに突設し、周縁枠の上下各縁枠の両端部にピン挿通用の貫通孔を設けてなる枠組足場用の防音パネルを、楔緊締式足場の外周に取り付けるようにした足場用防音パネルの取付装置であって、
足場用支柱に沿うように配置されるパネル取付用単管と、足場用支柱のフランジ又はポケットに掛止されて楔により固定されるコ字状金具をパイプクランプに固着してなる単管固定用金具と、水平部及び垂直部からなるＬ字状取付ピンの水平部側をパイプクランプに固着してなるパネル取付用クランプとを備え、
防音パネルの取付けにあたって、パネル取付用クランプは、Ｌ字状取付ピンの垂直部を防音パネルの貫通孔に挿通して防音パネルを保持し得る位置で、そのパイプクランプをパネル取付用単管の所要位置に掴持固定し、単管固定用金具は、コ字状金具が足場用支柱の所要のフランジ又はポケットに固定される位置で、そのパイプクランプをパネル取付用単管に掴持固定するようにし、
且つ防音パネルは、足場用支柱と同様に単位長さのものを順次継ぎ足して用いられるパネル取付用単管を介して足場用支柱に取り付けられるようになっている足場用防音パネルの取付装置。
【発明の詳細な説明】
【技術分野】
【０００１】
本発明は、建設現場において仮設足場の外周に取り付けられて工事の騒音が外部に漏れるのを抑止する防音パネルの取付装置に関するもので、特に本発明は、枠組足場用の防音パネルを楔緊締式足場の外周に取り付けできるようにした足場用防音パネルの取付装置に関する。
【背景技術】
【０００２】
図１０は、門形の建枠Ｆで組み立てられた枠組足場の外周に、枠組足場用の防音パネル１を養生クランプＫにより取り付けた状態を示し、図１２には枠組足場用防音パネル１及び養生クランプＫを示している。ここに示す枠組足場は、建枠Ｆの高さ（脚柱ｆの長さ）が１７００ｍｍ、継ぎ足される建枠Ｆ，Ｆの脚柱ｆ，ｆ間における連結ピンＰの介挿部分が２５ｍｍとなっている。枠組足場用防音パネル１は、図１２の(a) に示すように、パネル本体１ａの周縁から周縁枠１ｂ，１ｂ，１ｃ，１ｃを内向きに突設し、この周縁枠の上下各縁枠１ｂの両端部に夫々ピン挿通用の貫通孔２を設けたもので、防音パネル１の高さが８６２ｍｍ、幅が１８１９ｍｍであり、従ってこの防音パネル１を上下２段に重ねた状態で、枠組足場の建枠Ｆの１つ分に対応できるようになっている。
【０００３】
また、養生クランプＫは、図１２の(b) ，(c) に示すように、ベース部材２８と押え部材２９と締付用ボルトナット３０とからなる周知構造のパイプクランプ３１と、このクランプ３１のベース部材２８に固着された一対のＬ字状取付ピン３２，３２とによって構成され、各Ｌ字状取付ピン３２は、水平部３２ａと垂直部３２ｂでＬ字状に形成されていて、水平部３２ａの基端部がベース部材２８の基部下面に対し直角に突設されている。Ｌ字状取付ピン３２が２つあるのは、図１２の(c) に示すように、水平方向に隣り合う左右２つの防音パネル１，１の隣接する貫通孔２，２に挿通させるためである。
【０００４】
この枠組足場の外周に防音パネル１を取り付けるにあたっては、図１２に示すように、先ず、最下段側建枠Ｆの外側脚柱ｆの下端部に養生クランプＫのパイプクランプ３１を掴持固定して、そのＬ字状取付ピン３２の垂直部３２ｂを防音パネル１の下縁枠１ｂの貫通孔２にその下方より上方へ挿通させる。この場合、養生クランプＫは一対のＬ字状取付ピン３２，３２を有するから、両取付ピン３２，３２の垂直部３２ｂ，３２ｂを、図１２の(c) に示すように水平方向に隣り合う左右２つの防音パネル１，１の隣接する貫通孔２，２に挿通させる。
【０００５】
次いで、同じ最下段側建枠Ｆの外側脚柱ｆの上下方向中間部に養生クランプＫのパイプクランプ３１を掴持固定して、Ｌ字状取付ピン３２の垂直部３２ｂを、１段目防音パネル１の上縁枠１ｂの貫通孔２と、この１段目防音パネル１上に重ねた２段目防音パネルの下縁枠１ｂの貫通孔２とに対し、その下方より上方へ挿通させる、このときも同様に、両取付ピン３２，３２の垂直部３２ｂ，３２ｂを左右に隣り合う２つの防音パネル１，１の隣接する貫通孔２，２に対し挿通させる。こうして１段目防音パネル１を保持する。続いて、最下段側建枠Ｆの外側脚柱ｆの上端部に養生クランプＫのパイプクランプ３１を掴持固定して、２段目防音パネルの上縁枠１ｂの貫通孔２と、３段目防音パネルの下縁枠１ｂの貫通孔２とに対し、その下方より上方へ挿通させることにより、２段目防音パネル１を保持する。こうして１段目と２段目の２つの防音パネル１，１を取り付けた状態で、２段目防音パネル１の上端位置は、同じ最下段側建枠Ｆの脚柱ｆの上端位置と実質的に同じ位置となる。
【０００６】
以降、上記のような要領で、次段側建枠Ｆにおける脚柱ｆの下端部、中間部、上端部に夫々養生クランプＫのパイプクランプ３１を固定し、更に次の段の建枠Ｆにおける脚柱ｆの下端部、中間部、上端部に夫々養生クランプＫのパイプクランプ３１を固定していくことにより、３段目防音パネル１、４段目防音パネル１、５段目防音パネル１・・・を順次取り付けることができる。
【０００７】
上記のように枠組足場の外周に枠組足場用防音パネル１を取り付ける場合は、建枠Ｆの高さ寸法に対応し得る高さ寸法を有する防音パネルを使用することから、養生クランプＫのパイプクランプ３１を、建枠Ｆの脚柱ｆの下端部位置、中間部位置及び上端部位置であるところの、脚柱ｆ上に何も障害物（連結ピンＰのロックピンの突出部など）の存在しない位置に常に掴持固定させることができるである。
【発明の概要】
【発明が解決しようとする課題】
【０００８】
ところが、上記枠組足場用の防音パネル１を、上記したような養生クランプを使用して楔緊締式足場の外周に取り付けようとすると、特に楔緊締式足場の足場用支柱には、一定間隔おきにフランジ又はポケットが取り付けられていると共に、足場用支柱の単位長さと、枠組足場用防音パネル１の高さ寸法とが対応しないため、防音パネル１を下段より順次積み重ねて設置しようとすると、足場用支柱上における養生クランプＫのパイプクランプ取付位置が、フランジ又はポケットあるいは楔緊締部等の障害物と重なることがあって、養生クランプの使用ができず、防音パネルの取付ができないことになる。このように養生クランプを使用できない状態を、図１１を参照して以下に説明する。
【０００９】
図１１は、楔緊締式足場の外周に枠組足場用の防音パネル１を養生クランプＫによって取り付けようとする場合を示したもので、この図１１に示す枠組足場の足場用支柱３は、高さが１８００ｍｍで、楔孔付きのフランジ４が一定間隔おきに複数突設されており、連結ピン５によって継ぎ足し連結されるようになっている。最下段に使用されている足場用支柱３の高さはハーフサイズの９００ｍｍである。また、内側の足場用支柱３と外側の足場用支柱３とは、布材（横ステー）６によって連結される。この楔緊締式足場の外周に取り付けようとする防音パネル１は、図１２の(a) に示される前述の枠組足場用防音パネルで、高さが８６２ｍｍ、幅が１８１９ｍｍである。
【００１０】
しかして、この楔緊締式足場の外周に枠組足場用防音パネル１を養生クランプＫで取り付けるには、先ず、最下段の外側足場用支柱３の下端部に養生クランプＫのパイプクランプ３１を固定して、Ｌ字状取付ピン３２の垂直部３２ｂを１段目防音パネル１の下縁枠１ｂ側貫通孔２に挿通させ、それから当該足場用支柱３の上端部に養生クランプＫのパイプクランプ３１を固定しようとすると、そこには図１１の右側下方の拡大図に示すように、次段の足場用支柱３の下端部を連結する連結ピン５のロックピン５ａが突き出ているため、パイプクランプ３１を固定できず、従ってＬ字状取付ピン３２の垂直部３２ｂを、１段目防音パネル１の上縁枠１ｂの貫通孔２（図１２の(a) 参照）と２段目防音パネル１の下縁枠１ｂの貫通孔２（図１２の(a) 参照）とに挿通することができない。
【００１１】
また、最下段の外側足場用支柱３の上端部にロックピン５ａが突出していなくて、パイプクランプ３１が固定でき、１段目防音パネル１の上縁枠１ｂの貫通孔２と２段目防音パネル１の下縁枠１ｂの貫通孔２とに挿通できたとしても、次段（２段目）足場用支柱３の上端部に養生クランプＫのパイプクランプ３１を固定しようとすると、そこには図１１の右側上方の拡大図に示すように、フランジ４が位置して、そのフランジ４に布材６の一端部を連結する楔緊締連結部があるため、養生クランプＫを取り付けできず、枠組足場用防音パネル１を設置することができない。
【００１２】
上記のように楔緊締式足場に枠組足場用の防音パネルを設置できないと、楔緊締式足場の足場用支柱の長さに対応し得る高さ寸法を有する楔緊締式足場専用の防音パネルを準備する必要があるが、そうすると設備費用の高騰を来すことになる。本発明は、このような事情に鑑み、現在頻繁に使用されている既存の枠組足場用の防音パネルを楔緊締式足場にも取り付けできるようにすることによって、既存の枠組足場用防音パネルの有効利用を図り、もって設備費用を軽減することのできる足場用防音パネルの取付装置を提供することを目的とする。
【課題を解決するための手段】
【００１３】
上記課題を解決するための手段を、後述する実施形態の参照符号を付して説明すると、請求項１に係る発明は、パネル本体１ａの周縁から周縁枠１ｂ，１ｂ，１ｃ，１ｃを内向きに突設し、周縁枠１ｂ〜１ｃの上下各縁枠の両端部にピン挿通用の貫通孔２を設けてなる枠組足場用の防音パネル１を、楔緊締式足場の外周に取り付けるようにした足場用防音パネルの取付装置Ａであって、
足場用支柱３の側方で上下方向に延びるように配置される取付腕１７と、取付腕１７の一側部所要位置に突設されたパイプクランプ１１と、水平部１３ａ及び垂直部１３ｂによりＬ字状に形成されて、その水平部１３ａ側が前記取付腕１７の他側部で前記パイプクランプ１１に対し上方又は下方へ離れた位置に突設されたＬ字状取付ピン１３とによって構成され、
防音パネル１の取付けにあたって、Ｌ字状取付ピン１３の垂直部１３ｂを防音パネル１の貫通孔２に挿通して防音パネル１を保持し得る位置で、パイプクランプ１１を足場用支柱３上の障害物を避けた取付可能位置に掴持固定するようにし、
Ｌ字状取付ピン１３は、前記取付腕の他側部で前記パイプクランプ１１に対し上下両方へ離れた取付腕の上下両端部側に夫々突設してなることを特徴とする。
【００１５】
請求項２は、請求項１に記載の足場用防音パネルの取付装置Ａにおいて、取付腕１７の他側部に固着された上端部側のＬ字状取付ピン１３はその垂直部１３ｂが上向きに突出し、下端部側のＬ字状取付ピン１３はその垂直部１３ｂが下向きに突出していることを特徴とする。
【００１６】
請求項３は、請求項１又は２に記載の足場用防音パネルの取付装置Ａにおいて、取付腕１７の腕本体１７ａは溝形に形成され、その溝形内に足場用支柱３のフランジ４又はポケット２４が納まるように形成されて、前記パイプクランプ１１を足場用支柱３に固定した状態で足場用支柱３のフランジ４又はポケット２４に干渉されないようにそれを避けた形状に形成してなることを特徴とする。
【００１７】
請求項４に係る発明は、パネル本体１ａの周縁から周縁枠１ｂ，１ｂ，１ｃ，１ｃを内向きに突設し、周縁枠１ｂ〜１ｃの上下各縁枠１ｂの両端部にピン挿通用の貫通孔２を設けてなる枠組足場用の防音防音パネル１を、楔緊締式足場の外周に取り付けるようにした足場用防音パネルの取付装置Ｂであって、
足場用支柱３に沿うように配置されるパネル取付用単管８と、足場用支柱３のフランジ４又はポケット２４に掛止されて楔９により固定されるコ字状金具１０をパイプクランプ１１に固着してなる単管固定用金具１２と、水平部１３ａ及び垂直部１３ｂからなるＬ字状取付ピン１３の水平部１３ａ側をパイプクランプ１１に固着してなるパネル取付用クランプ１４とを備え、
防音パネル１の取付けにあたって、パネル取付用クランプ１４は、Ｌ字状取付ピン１３の垂直部１３ｂを防音パネル１の貫通孔２に挿通して防音パネル１を保持し得る位置で、そのパイプクランプ１１をパネル取付用単管８の所要位置に掴持固定し、単管固定用金具１２は、コ字状金具１０が足場用支柱３の所要のフランジ４又はポケット２４に固定される位置で、そのパイプクランプ１１をパネル取付用単管８に掴持固定するようにし、
且つ防音パネル１は、足場用支柱３と同様に単位長さのものを順次継ぎ足して用いられるパネル取付用単管８を介して足場用支柱３に取り付けられるようになっていることを特徴とする。
【発明の効果】
【００１８】
上記解決手段による発明の効果を、後述する実施形態の参照符号を付して説明すると、請求項１に係る発明の足場用防音パネル取付装置Ａは、足場用支柱３の側方で上下方向に延びるように配置される取付腕１７と、取付腕１７の一側部所要位置に突設されたパイプクランプ１１と、水平部１３ａ及び垂直部１３ｂによりＬ字状に形成され、その水平部１３ａ側が取付腕１７の他側部でパイプクランプ１１に対し上方又は下方へ離れた位置に固着されたＬ字状取付ピン１３とからなるもので、Ｌ字状取付ピン１３の垂直部１３ｂを防音パネル１の貫通孔２に挿通して防音パネル１を保持し得る位置で、パイプクランプ１１を足場用支柱３上の障害物（フランジ又はポケットあるいは楔緊締部など）を避けた取付可能位置に掴持固定すればよいから、既存の足場用防音パネル１を楔緊締式足場の所要位置に的確に取り付けることができる。また、この発明に係る取付装置Ａは、構造が簡単な一つのユニットからなるため、製作コストが安くつくと共に、取り扱い及び作業性が良くなる。
【００１９】
この発明の足場用防音パネル取付装置Ａにおいては、取付腕１７のＬ字状取付ピン１３は、足場用支柱３に固定するパイプクランプ１１に対しその上方又は下方へ離れた位置の１箇所に設ければよいが、１箇所の場合は、足場用支柱３上の障害物によりパイプクランプ１１の取付けができない範囲と略同等の上方又は下方に長い取付腕１７が必要になる。この場合、取付腕１７の固定箇所（パイプクランプ１１の位置）と水平力のかかるＬ字状取付ピン１３の位置との距離が長いと、その水平力によってＬ字状取付ピン１３が水平方向に引っ張られる時に取付腕１７が曲がり易くなる。このために、本発明にあっては、Ｌ字状取付ピン１３を、取付腕１７の他側部でパイプクランプ１１に対し上下両方へ離れた取付腕１７の上下両端部側２箇所に設けるため、図６の(a) に示す実施形態を参照すれば分かるように、パイプクランプ１１の取付けができないパイプクランプ取付不可範囲Ｈを、その上方から約半分、下方から約半分カバーすると言った様に分割してカバーすることができ、従って前記固定箇所から取付腕１７に設けたＬ字状取付ピン１３までの距離を最小限に抑えることができ、それにより強度の維持を図ることができる。
【００２０】
請求項２に記載のように、取付腕１７の他側部に固着された上端部側のＬ字状取付ピン１３が、その垂直部１３ｂを上向きに突出させ、下端部側のＬ字状取付ピン１３が、その垂直部１３ｂを下向きに突出させたものである場合には、足場用支柱３上でのパイプクランプ１１の取付位置に応じて、上下を逆にひっくり返して使用することができ、それによりパイプクランプ１１の設置範囲を広げることができる。
【００２１】
請求項３に記載のように、取付腕１７の腕本体１７ａは溝形に形成され、その溝形内に足場用支柱３のフランジ４又はポケット２４が納まるように形成されて、前記パイプクランプ１１を足場用支柱３に固定した状態で足場用支柱３のフランジ４又はポケット２４に干渉されないようにそれを避けた形状に形成してなることによって、足場用支柱３上でのパイプクランプ１１の取付可能な範囲を広げることができる。
【００２２】
請求項４に係る発明の足場用防音パネル取付装置Ｂは、楔緊締式足場の足場用支柱３に沿うように配置されるパネル取付用単管８と、足場用支柱３のフランジ４に掛止されて楔９により固定されるコ字状金具１０をパイプクランプ１１に固着してなる単管固定用金具１２と、Ｌ字状取付ピン１３の水平部１３ａ側をパイプクランプ１１に固着してなるパネル取付用クランプ１４とから構成されるもので、足場用支柱３から一定間隔離れた単管８に、単管固定用金具１２のパイプクランプ１１及びパネル取付用クランプ１４のパイプクランプ１１を互いに独立して固定させるから、単管固定用金具１２は、足場用支柱３側にあるフランジ４等の障害物を避けた位置で足場用支柱３に固定させればよいし、パネル取付用クランプ１４は、足場用支柱３側の障害物に関係なく足場用支柱３に固定させることができるから、これら金具１２とクランプ１４を使用することよって、枠組足場用防音パネル１を楔緊締式足場に的確に取り付けることができる。
【００２３】
また、この防音パネル取付装置Ｂでは、単管固定用金具１２によりパネル取付用単管８を足場用支柱３に固定するが、この単管固定用金具１２は、足場用支柱３のフランジ４又はポケット２４に掛止されて楔９により固定されるコ字状金具１０をパイプクランプ１１に固着したものであって、コ字状金具１０を一旦楔９でフランジ４又はポケット２４に固定すれば、足場用支柱３に対し回転を生ずることがなく、確実に固定できるから、足場用支柱３に対するパネル取付用単管８の位置決めが容易となり、従って防音パネル１の取付作業が容易となる。
【図面の簡単な説明】
【００２４】
【図１】(a) ，(b) は本発明に係る足場用防音パネル取付装置の使用方法を説明する説明正面図である。
【図２】(a) は同上の足場用防音パネル取付装置の正面図、(b) は平面図、(c) は一対の取付ピンを隣り合う左右２つの防音パネルの隣接する貫通孔に挿通した状態を示す平面図である。
【図３】(a) は同上の足場用防音パネル取付装置の他の実施形態の正面図、(b) は平面図である。
【図４】(a) は同上の足場用防音パネル取付装置の更に他の実施形態の正面図、(b) は平面図である。
【図５】(a) は同上の足場用防音パネル取付装置の更に他の実施形態の正面図、(b) は平面図であり、(c) はひっくり返して使用する状態を示す正面図である。
【図６】ポケット式足場用支柱の実施形態を示したもので、(a) は同上の足場用防音パネル取付装置の正面図、(b) は平面図である。
【図７】(a) は他の発明に係る足場用防音パネルの取付装置の使用前の状態を示す正面図、(b) は平面図である。
【図８】(a-1) は同上の足場用防音パネル取付装置に使用する単管固定用金具の正面図、(a-2) は平面図であり、(b-1) はパネル取付用クランプの正面図、(b-2) は平面図である。
【図９】同上の足場用防音パネル取付装置の使用状態を示す正面図である。
【図１０】枠組足場に枠組足場用防音パネルを養生クランプで取り付けた状態を示す説明正面図である。
【図１１】楔緊締式足場に枠組足場用防音パネルを養生クランプで取り付けようとする場合を示す説明正面図である。
【図１２】(a) は枠組足場用防音パネルをその内側から見た斜視図、(b) は養生クランプの取付状態を示す正面図、(c) は同取付状態を示す平面図である。
【発明を実施するための形態】
【００２５】
以下に本発明の好適な実施形態を図面に基づいて説明すると、図１及び図２は、楔緊締式足場に枠組足場用防音パネル１を取り付けるための、本発明に係る足場用防音パネル取付装置Ａを示したもので、図１の(a) ，(b) は防音パネル取付装置Ａの使用状態を示し、図２の(a) は防音パネル取付装置Ａの正面図、(b) は平面図、(c) は一対のＬ字状取付ピン１３，１３を隣り合う左右２つの防音パネル１，１の隣接する貫通孔２，２に通した状態を示す平面図である。この防音パネル取付装置Ａは、図１に示すように足場用支柱３の側方で上下方向に延びるように配置される取付腕１７と、この取付腕１７の一側部の上下方向中央位置に突設されたパイプクランプ１１と、水平部１３ａ及び垂直部１３ｂによりＬ字状に形成されていて、その水平部１３ａ側が取付腕１７の他側部で取付腕１７の上下両端部に固着された上下一対のＬ字状取付ピン１３，１３とによって構成される。
【００２６】
楔緊締式足場については図１１に示される構造であり、防音パネル１の構造は図１２の(a) に示されているから、夫々構成部材の符号をそのまま使用し、その説明を省略する。また、パイプクランプ１１は、図１２の(b) ，(c) に示される養生クランプＫのパイプクランプ３１と同じ構造のもので、ベース部材１１ａと押え部材１１ｂと締付用ボルトナット１１ｃとからなる。
【００２７】
取付腕１７は、図２の(a) 〜(c) から分かるように、溝形の腕本体１７ａと、この溝形腕本体１７ａの上下各端面の両コーナー部に夫々斜交状に取り付けられた補強部材１７ｂ，１７ｂとからなるもので、パイプクランプ１１は、コ字状腕本体１７ａの長さ方向中央部でその溝部内に、ベース部材１１ａに固着突設した取付部材１８を嵌め込んで溶接することによって、取付腕１７の一側部の上下方向中央部から突出するように取付け固定される。このように取付腕１７を溝形の腕本体１７ａを用いて形成するのは、パイプクランプ１１を足場用支柱３に固定した状態で取付腕１７が足場用支柱３上のフランジ４（又はポケット）の位置に来ても、フランジ４（又はポケット）に干渉されないようにそのフランジ４（又はポケット）を避けるためである（図２の(c) 参照）。取付腕１７をそのような形状にすることにより、足場用支柱３上でのパイプクランプ１１の取付可能な範囲を広げることができる。
【００２８】
上記のような構成の足場用防音パネル取付装置Ａを使用して枠組足場用防音パネル１を取り付けるにあたり、図１の(a) に示すように、下段側防音パネル１と上段側防音パネル１との継ぎ目Ｇが足場用支柱３の連結ピン５のレベル位置にある場合に、パイプクランプ１１を足場用支柱３の同図の(a) に示すような位置に固定したのでは、Ｌ字状取付ピン１３を上下両パネル１，１の継ぎ目Ｇにある貫通孔２，２に挿通させることができず、またパイプクランプ１１を少し上側へスライドさせようとしても、ロックピン５ｂが突出しているため、このロックピン５ｂにクランプ１１の押え部材１１ｂが引っ掛かってスライドさせることができない。尚、この場合、取付腕１７は、前記のように腕本体１７ａが溝形材からなるため、上端部がフランジ４に当たるような位置にあっても、図２の(c) に示すように、その溝形の腕本体１７ａ及び補強部材１７ｂも、フランジ４の山部４ｂを受け入れできる状態にあって、フランジ４に干渉されることがない。
【００２９】
上記のようにパイプクランプ１１を図１(a) に示される位置で足場用支柱３に固定したのでは、上下両パネル１，１の継ぎ目Ｇにある貫通孔２，２に挿通させることができないため、図１の(b) に示すように、パイプクランプ１１を取り外して、取付装置Ａを、図１(a) の位置から図１(b) の上半部に実線で示すように引き上げて、パイプクランプ１１を連結ピン５のロックピン５ａの上側で足場用支柱３に固定させるようにすれば、取付腕１７の下端部にあるＬ字状取付ピン１３を上下両パネル１，１の継ぎ目Ｇのところで両貫通孔２，２に的確に挿通させることができる。あるいは、図１(b) の下半部に仮想線で示すように、取付装置Ａを、図１(a) の位置から少し上方へ引き上げた位置でパイプクランプ１１を足場用支柱３に固定すれば、取付腕１７の上端部にあるＬ字状取付ピン１３を上下両パネル１，１の継ぎ目Ｇのところで両貫通孔２，２に的確に挿通させることができる。後者の場合、即ち図１(b) の下半部に示す取付状態では、足場用支柱３を掴持したパイプクランプ１１の取付位置にロックピン５ａの端部５ｂが突出している（図１の(a) 参照）が、この突出端部５ｂは、パイプクランプ１１の押え部材１１ｂの内面が凹状に形成されているから、この凹状部で受け入れられる。
【００３０】
ここに示す足場用防音パネル取付装置Ａは、取付腕１７と、この取付腕１７の一側部の上下方向中央位置に突設されたパイプクランプ１１と、取付腕１７の他側部で取付腕１７の上下端部に固着された上下二つのＬ字状取付ピン１３，１３とからなるものであるが、防音パネル１の取付けに使用されるＬ字状取付ピン１３は、上下二つのうちの何れか一つであって、他の取付ピン１３は防音パネル１内に納まっているだけである。図１の(b) の上半部に実線で示す防音パネルの取付装置Ａは、下部側のＬ字状取付ピン１３が防音パネル１の取付けに使用され、上部側Ｌ字状取付ピン１３は防音パネル１内に納まっており、また図１の(b) の下半部に仮想線で示す防音パネルの取付装置Ａは、上部側のＬ字状取付ピン１３が防音パネル１の取付けに使用され、下部側Ｌ字状取付ピン１３は防音パネル１内に納まっているだけである。
【００３１】
この発明に係る防音パネル取付装置Ａは、取付腕１７の一側部所要位置パイプクランプ１１を突設し、取付腕１７の他側部で、パイプクランプ１１に対し上方又は下方へ離れた位置にＬ字状取付ピン１３を固着した構成であればよい。つまり、Ｌ字状取付ピン１３はパイプクランプ１１に対してその上方又は下方へ離れた位置に一つ設ければよい。従って、この発明に係る防音パネル取付装置Ａによれば、Ｌ字状取付ピン１３の垂直部１３ｂを防音パネル１の貫通孔２に挿通して防音パネル１を保持し得る位置で、パイプクランプ１１を足場用支柱３上の障害物を避けた取付可能位置に足場用支柱３に掴持固定することにより、既存の枠組足場用防音パネル１を楔緊締式足場に取り付けることができる。また、この発明に係る取付装置Ａは、取付腕１７にパイプクランプ１１とＬ字状取付ピン１３とを一体的に取り付けた構造が簡単な一つのユニットからなるため、製作コストが安くつくと共に、取り扱い及び作業性が良い。
【００３２】
また、この発明に係る足場用防音パネル取付装置Ａでは、取付腕１７のＬ字状取付ピン１３は、足場用支柱３に固定するパイプクランプ１１に対しその上方又は下方へ離れた位置の１箇所に設けてもかまわないが、１箇所に設ける場合には、足場用支柱３上の障害物（フランジ又はポケットあるいは楔緊締部等）によってパイプクランプ１１の取付けができない範囲と略同等の上方又は下方に長い取付腕１７が必要になる。この場合、取付腕１７の固定箇所（パイプクランプ１１の位置）と水平力のかかるＬ字状取付ピン１３の位置との距離が長くなると、その水平力によりＬ字状取付ピン１３が水平方向に引っ張られる時に、取付腕１７が曲がり易くなる。そのため、図１〜図６に示す各実施形態のように、Ｌ字状取付ピン１３を、取付腕１７の他側部でパイプクランプ１１に対し上下両方へ離れた取付腕１７の上下両端部側２箇所に設けることによって、後述する図６の(a) の実施形態を参照すれば分かるように、パイプクランプ１１の取付けができないパイプクランプ取付不可範囲Ｈを、その上方から約半分、下方から約半分カバーすると言った様に分割してカバーすることができる。従って、前記固定箇所から取付腕１７に設けたＬ字状取付ピン１３までの距離を最小限に抑えることができ、それによって強度の維持を図ることができる。
【００３３】
図３〜図５は、足場用防音パネル取付装置Ａの種々の実施形態を示したもので、図３の防音パネル取付装置Ａは、一側部の上下方向中央位置にパイプクランプ１１を突設した取付腕１７の他側部の上下両端部に、夫々Ｌ字状取付ピン１３を突設した実施形態を示し、上部側のＬ字状取付ピン１３は垂直部１３ｂが上向きに突出しているのに対し、下部側のＬ字状取付ピン１３は垂直部１３ｂが下向きに突出している。
【００３４】
図４の防音パネル取付装置Ａは、図２に示す取付装置Ａと同じ様に、取付腕１７の一側部にパイプクランプ１１を突設し、他側部の上下両端部に夫々垂直部１３ｂが上向きのＬ字状取付ピン１３を突設しているが、パイプクランプ１１を取付腕１７の一側部の下端部寄りの位置に取り付けた点が、図２のものと相違する。図５の防音パネル取付装置Ａは、図４のものと同様に、取付腕１７の一側部の下端部寄りの位置にパイプクランプ１１を取り付け、取付腕１７の他側部にはその上端部に、垂直部１３ｂが上向きのＬ字状取付ピン１３を突設し、その下端部に、垂直部１３ｂが下向きのＬ字状取付ピン１３を突設したもので、この防音パネル取付装置Ａは、足場用支柱３上の障害物に応じて、図５(a) ，(c) のように上下を逆にひっくり返して使用することにより、パイプクランプ１１の取付可能位置の範囲を広げることができる。
【００３５】
図１及び図２に示す楔緊締式足場の足場用支柱３は、楔孔４ａ付きフランジ４を一定間隔おきに取り付けたフランジ付きの支柱３であるが、図６には支柱３の長さ方向一定間隔おきの位置に概ね周方向に複数個（例えば４個）のポケット２４を配設したポケット２４付き足場用支柱３に、足場用防音パネル取付装置Ａを設置する場合を示す。
【００３６】
図６の(a) に示すように、足場用支柱３に、防音パネル取付装置Ａを設置しようとする箇所の１つのポケット２４には布材６（横ステー）の端部の楔２０が挿着され、これに隣接するもう１つのポケット２４には布材２１（縦ステー）の端部の楔２０が挿着されていることから、この足場用支柱３には図６の(a) に示すようなパイプクランプ取付不可範囲Ｈが存在し、この範囲Ｈではパイプクランプ１１を取り付けることができない。従って、図６の(a) の下半部に実線で示す防音パネル取付装置Ａのように、パイプクランプ１１をパイプクランプ取付不可範囲Ｈの下限位置より下方に取り付けた場合は、上部側のＬ字状取付ピン１３を上下両パネル１，１の継ぎ目Ｇのところで両貫通孔２，２（図１参照）に挿通させることができるし、図６の(a) の上半部に仮想線で示す防音パネル取付装置Ａのように、パイプクランプ１１をパイプクランプ取付不可範囲Ｈの上限位置より上方に取り付けることによって、下部側のＬ字状取付ピン１３を上下両パネル１，１の継ぎ目Ｇにある両貫通孔２，２に挿通させることができ、従って防音パネル１を取り付けることができる。また、図６の(a) を参照して分かるように、Ｌ字状取付ピン１３を取付腕１７の上下両端部側２箇所に設けたことによって、パイプクランプ１１の取付けができないパイプクランプ取付不可範囲Ｈを、その上方から約半分、下方から約半分カバーすると言った様に分割してカバーすることができるから、パイプクランプ１１による取付腕１７の固定箇所からＬ字状取付ピン１３までの距離を最小限に抑えることができ、それによって強度の維持を図ることができる。
【００３７】
図７〜図９は、楔緊締式足場に枠組足場用防音パネル１を取り付けるための、本発明に係る防音パネル取付装置Ｂを示す。この防音パネル取付装置Ｂは、楔緊締式足場の足場用支柱３に沿うように配置されるパネル取付用単管８と、足場用支柱３のフランジ４に掛止されて楔９により固定されるコ字状金具１０をパイプクランプ１１に固着してなる単管固定用金具１２と、水平部１３ａ及び垂直部１３ｂからなるＬ字状取付ピン１３の水平部１３ａ側をパイプクランプ１１に固着してなるパネル取付用クランプ１４とによって構成される。楔緊締式足場は図１１に示される構造であり、防音パネル１の構造は図１２の(a) に示されているから、夫々の構成部材の符号をそのまま使用し、その説明を省略する。
【００３８】
パネル取付用単管８の詳細は省略するが、この単管８は、足場用支柱３と一定の間隔でこの支柱３沿いに配置されるもので、足場用支柱３と同様に単位長さのものを順次継ぎ足し連結される。単管固定用金具１２は、パネル取付用単管８を足場用支柱３の側方に一定間隔だけ離して固定するもので、図８の(a-1) ，(a-2) にように、コ字状金具１０を足場用支柱３のフランジ４に掛止させて、コ字状金具１０の上方から楔９をコ字状金具１０の上下孔１０ａ，１０ｂ及びフランジ４の楔孔４ａに差し込むことにより、フランジ４に掴持固定される。パイプクランプ１１は、図１０及び図１１に示される養生クランプＫのパイプクランプ３１と同じ構造もので、ベース部材１１ａと押え部材１１ｂと締付用ボルトナット１１ｃとからなる。
【００３９】
パネル取付用クランプ１４は、図１２の(b) ，(c) に示す養生クランプＫと同じ構造で、図８の(b-1) ，(b-2) に示すように、パイプクランプ１１と、このクランプ１１のベース部材１１ａに固着された一対のＬ字状取付ピン１３，１３とによって構成され、各Ｌ字状取付ピン１３は、水平部１３ａと垂直部１３ｂでＬ字状に形成されていて、水平部１３ａの基端部がベース部材１１ａの基部下面に対し直角に突設されている。このパネル取付用クランプ１４の機能も、養生クランプＫと全く同じである。
【００４０】
上記のように構成される足場用防音パネル取付装置Ｂを使用して枠組足場用防音パネル１を取り付けるにあたって、図７の(a) に示されるように、下段側防音パネル１と上段側防音パネル１との継ぎ目Ｇが、足場用支柱３のフランジ４と同じレベルに位置している場合は、そのフランジ４に単管固定用金具１２のコ字状金具１０を固定させようとすると、パネル取付用クランプ１４のＬ字状取付ピン１３を、その継ぎ目Ｇのところで上下両パネル１，１の貫通孔２，２に挿通させることができない。
【００４１】
従って、そのような場合は、図９に示すように、単管固定用金具１２を継ぎ目Ｇの位置より下方へずらして、そのコ字状金具１０を継ぎ目Ｇと同じレベルのフランジ４から１つ下方にあるフランジ４に固定させ、パイプクランプ１１をパネル取付用単管８に固定させるようにすれば、パネル取付用クランプ１４を上記継ぎ目Ｇの位置でパネル取付用単管８に固定させても、その継ぎ目Ｇと同レベルにある足場用支柱３のフランジ４に邪魔されることがなく、つまりフランジ４が障害物とならないから、このパネル取付用クランプ１４のＬ字状取付ピン１３をその継ぎ目Ｇのところで上下両パネル１，１の貫通孔２，２に挿通させることができ、防音パネル１を取り付けることができる。
【００４２】
上記のように、足場用防音パネル取付装置Ｂは、楔緊締式足場の足場用支柱３に沿うように配置されるパネル取付用単管８と、足場用支柱３のフランジ４に掛止されて楔９により固定されるコ字状金具１０をパイプクランプ１１に固着してなる単管固定用金具１２と、Ｌ字状取付ピン１３の水平部１３ａ側をパイプクランプ１１に固着してなるパネル取付用クランプ１４とから構成されるもので、足場用支柱３から一定間隔離れた単管８に、単管固定用金具１２のパイプクランプ１１及びパネル取付用クランプ１４のパイプクランプ１１を互いに独立して固定させるから、単管固定用金具１２は、足場用支柱３側にあるフランジ４や連結ピン５のロックピン５ａ等の障害物を避けた位置で足場用支柱３に固定させればよいし、パネル取付用クランプ１４は、足場用支柱３側の障害物に関係なく足場用支柱３に固定できるから、これらの金具１２とクランプ１４を使用することより、楔緊締式足場に枠組足場用防音パネル１を取り付けることができる。尚、ここでは、フランジ４付きの足場用支柱３を示しているが、図６に示すように、支柱３の長さ方向一定間隔をおいた位置に概ね周方向に複数個（例えば４個）のポケット２４を配設したポケット２４付き足場用支柱３を使用する場合もあり、この場合には、単管固定用金具１２は、コ字状金具１０をポケット２４に掛止させて、適当な楔を、コ字状金具１０の上下孔１０ａ，１０ｂ及びポケット２４に挿着することによって、そのポケット２４の位置に固定される。
【００４３】
また、パネル取付用単管８上でのパネル取付用クランプ１４の取付位置は、図７の(a) 及び図９に示すように下段側防音パネル１と上段側防音パネル１との継ぎ目Ｇの位置がほとんどであるが、最下段（１段）の防音パネル１を取り付ける時は、その最下段パネル１の下端位置であり、最上段の防音パネル１の取付時は、その最上段パネル１の上端位置となる。そして、各パネル取付用クランプ１４の一対のＬ字状取付ピン１３，１３は、図７の(b) に示すように、水平方向に隣り合う左右２つの防音パネル１，１の隣接する貫通孔２，２に挿通させることができる。
【００４４】
また、この防音パネル取付装置Ｂでは、単管固定用金具１２によってパネル取付用単管８を足場用支柱３に固定するが、この単管固定用金具１２は、足場用支柱３のフランジ４又はポケット２４に掛止されて楔９により固定されるコ字状金具１０をパイプクランプ１１に固着したものであって、コ字状金具１０を一旦楔９でフランジ４又はポケット２４に固定すれば、足場用支柱３に対し回転を生ずることがなく、足場用支柱３に確実に固定でき、足場用支柱３に対するパネル取付用単管８の位置決めが容易となり、従って防音パネル１の取付作業が容易となる。
【符号の説明】
【００４５】
Ａ            足場用防音パネル取付装置
Ｂ            足場用防音パネル取付装置
１            防音パネル
１ａ          防音パネルのパネル本体
１ｂ          防音パネルの上下各縁枠
１ｃ          防音パネルの左右各縁枠
２            貫通孔
３            足場用支柱
４            フランジ
８            パネル取付用単管
９            楔
１０          コ字状金具
１１          パイプクランプ
１２          単管固定用金具
１３          Ｌ字状取付ピン
１３ａ        水平部
１３ｂ        垂直部
１４          パネル取付用クランプ
１７          取付腕
２４          ポケット
【図１】
0006046887.tif 000002
【図２】
0006046887.tif 000003
【図３】
0006046887.tif 000004
【図４】
0006046887.tif 000005
【図５】
0006046887.tif 000006
【図６】
0006046887.tif 000007
【図７】
0006046887.tif 000008
【図８】
0006046887.tif 000009
【図９】
0006046887.tif 000010
【図１０】
0006046887.tif 000011
【図１１】
0006046887.tif 000012
【図１２】
0006046887.tif 000013